(57)【要約】【課題】腕時計及び腕時計に適用される電子決済の安全性を向上させる方法を提供する。【解決手段】腕時計は近距離通信モジュールを含み、近距離通信モジュールはセキュリティ要素を有する。セキュリティ要素は電子決済に必要なセキュリティ情報を提供する。この腕時計はさらに前記近距離通信モジュールに結合された制御器を含み、制御器はユーザの操作に基づいて、前記近距離通信モジュールにより実行された電子決済をオン又はオフにするために用いられる。この腕時計において、電子決済の機能はユーザが手動でオン又はオフにすることができ、セキュリティデータが盗難されるリスクを低減する。【選択図】図３
2020085880.tif 000002
【特許請求の範囲】
【請求項１】
腕時計であって、
時間を表示するために用いられる時間表示装置と、
収容空間を画定するハウジングと、
前記収容空間内に設置され、外部装置と近距離無線通信を行うことにより電子決済を実現するために用いられる近距離通信モジュールと、を備え、
前記近距離通信モジュールは、
前記電子決済を行うために必要なセキュリティ情報を記憶するセキュリティ要素と、
前記セキュリティ要素に結合され、前記電子決済に必要なセキュリティ情報及びその関連情報を搭載する電気信号を伝送するために用いられるコイルと、を有し、
前記腕時計はさらに、
前記近距離通信モジュールに結合され、予め設定されたユーザの操作に応答して前記近距離通信モジュールにより実行された電子決済をオン又はオフにするために用いられる制御器、を備える腕時計。
【請求項２】
前記ハウジングは一側に開口を露出させており、
前記時間表示装置は、
前記ハウジングの露出した前記開口を覆い、前記ハウジングと透明時計カバーとで前記収容空間を画定する透明時計カバーと、
前記収容空間内に設置される文字盤と、
前記文字盤の前記透明時計カバーに対向する表面に形成される複数の実体目盛と、
前記文字盤と前記透明時計カバーとの間に位置する少なくとも１つの実体指示器と、
前記少なくとも１つの実体指示器を駆動することにより、前記少なくとも１つの実体指示器に前記文字盤上の前記実体目盛と協働して時間を表示させるために用いられるムーブメントと、を含む請求項１に記載の腕時計。
【請求項３】
前記ハウジングは、
金属材質で製造されている閉環構造を有する時計ハウジングであって、前記閉環構造は連続的な金属固体物質で構成された密閉環を有し、前記閉環構造は第１側に第１開口を有し、前記第１側に対向する第２側に第２開口を有する、時計ハウジングと、
金属材質で製造されている底カバーと、を含み、
前記底カバーが前記閉環構造の前記第１開口を密封し、前記透明時計カバーが前記閉環構造の前記第２開口を密封し、前記透明時計カバーが非金属材質で製造されている、請求項２に記載の腕時計。
【請求項４】
前記ハウジングは一側に開口を露出させており、前記時間表示装置は、
前記ハウジングの露出した前記開口をカバーしつつも電気信号は通過させるタッチディスプレイを含み、前記タッチディスプレイは時間を表示する機能を有し、前記収容空間が前記ハウジングと前記タッチディスプレイとの間に画定されている、請求項１に記載の腕時計。
【請求項５】
前記腕時計はさらに、
ユーザの操作を受信可能な位置に設置され、かつ前記ユーザの操作に対応して検出信号を生成する透明導電膜であって、複数の導電線を含み、前記導電線が互いに交絡して複数の導電ユニットを構成し、前記導電ユニットの統合された電気信号の変化が前記検出信号に対応する透明導電膜を含み、
前記制御器は前記透明導電膜に結合され、前記透明導電膜からの前記検出信号を受信し、かつ、前記検出信号に基づいて前記近距離通信モジュールにより実行される電子決済をオン又はオフにするために用いられる、請求項１〜４のいずれか一項に記載の腕時計。
【請求項６】
前記透明導電膜は第１領域と第２領域とに分けられ、前記第１領域と前記第２領域とは電気的に分断されており、かつ、
前記第１領域はユーザの操作に応じて第１検出信号を生成し、前記制御器は前記第１検出信号に基づいて前記近距離通信モジュールにより実行された電子決済をオンにし、かつ、
前記第２領域はユーザの操作に応じて第２検出信号を生成し、前記制御器は前記第２検出信号に基づいて前記近距離通信モジュールにより実行された電子決済をオフにする、請求項５に記載の腕時計。
【請求項７】
前記近距離通信モジュールはさらに、
前記コイルと前記セキュリティ要素との間に設置され、前記コイルが伝送する電気信号の強度を増幅又は調整することにより、信号伝送距離を調整するために用いられる増幅器を含む請求項１〜４のいずれか一項に記載の腕時計。
【請求項８】
さらに、ユーザの操作を受信可能な位置に設置され、かつ前記ユーザの操作に対応して検出信号を生成する透明導電膜であって、複数の導電線を含み、前記導電線が互いに交絡して複数の導電ユニットを構成し、前記導電ユニットの統合された電気信号の変化が前記検出信号に対応する透明導電膜を備え、
前記制御器は前記透明導電膜及び前記増幅器に結合され、前記透明導電膜からの前記検出信号を受信し、かつ前記検出信号に基づいて前記増幅器のゲインを決定し、前記増幅器は前記制御器が決定したゲインに基づいて、前記コイルが伝送する電気信号の強度を調整し、信号受信距離を調整する、請求項７に記載の腕時計。
【請求項９】
前記透明導電膜は第１領域と第２領域とに分けられ、前記第１領域と前記第２領域とは電気的に分断されており、かつ、
前記第１領域はユーザの操作に応じて第１検出信号を生成し、前記制御器は前記第１検出信号に基づいて前記増幅器のゲインを増加させ、それにより前記コイルが伝送する電気信号の強度を強化し、かつ
前記第２領域はユーザの操作に応じて第２検出信号を生成し、前記制御器は前記第２検出信号に基づいて前記増幅器のゲインを減少させ、それにより前記コイルが伝送する電気信号の強度を低下させる、請求項８に記載の腕時計。
【請求項１０】
前記制御器はさらに前記近距離通信モジュールのオン期間を制御し、かつ前記オン期間が終了した後、自動的に前記近距離通信モジュールをオフにする請求項１に記載の腕時計。
【請求項１１】
さらに、前記時計ハウジングの、前記閉環構造が前記収容空間に向いている一側に形成される第１磁界分離層と、
前記ムーブメントと前記近距離通信モジュールとの間に設置される第２磁界分離層と、を備え、
前記第１磁界分離層及び前記第２磁界分離層は電気信号を吸収するために用いられる、請求項３に記載の腕時計。
【請求項１２】
さらに、前記ハウジングの前記底カバーの内面に形成される第３磁界分離層を含む請求項１１に記載の腕時計。
【請求項１３】
前記近距離通信モジュールは、セレクタ及び２つ又は２つ以上の前記セキュリティ要素を含み、前記セレクタは前記セキュリティ要素と前記コイルとの間に設けられ、前記セレクタはユーザの操作に応じて、前記セキュリティ要素のうちの１つのセキュリティ要素をイネーブルとし、前記セキュリティ要素のうちの他の全てのセキュリティ要素をディスエーブルする請求項１〜４のいずれか一項に記載の腕時計。
【請求項１４】
前記セレクタは、前記セキュリティ要素のうちの１つのセキュリティ要素と前記コイルとの接続経路を確立し、前記セキュリティ要素の他の全てのセキュリティ要素と前記コイルとの接続経路を分断することを通じて、前記セキュリティ要素をイネーブルし、他のセキュリティ要素をディスエーブルする、請求項１３に記載の腕時計。
【請求項１５】
さらに、複数の領域に分けられた透明導電膜であって、前記領域が互いに電気的に分断され、各領域が複数の導電線を含み、前記導電線が互いに交絡して複数の導電ユニットを構成する透明導電膜と、
前記セレクタに結合されたタッチセンサであって、前記透明導電膜の前記領域に電気的に接続され、各領域における前記導電ユニットの統合された電気信号の変化を検出して、検出信号を出力することに用いられるタッチセンサと、を備え、
前記セレクタは前記タッチセンサから伝送された検出信号を受信することにより、前記セキュリティ要素のうちの１つのセキュリティ要素をイネーブルする、請求項１４に記載の腕時計。
【請求項１６】
腕時計に適用される電子決済安全性を向上させる方法であって、前記腕時計は時間表示装置及びハウジングを含み、前記時間表示装置は時間を表示するために用いられ、前記ハウジングは収容空間を画定し、前記方法は、
近距離通信モジュールを利用して外部装置と近距離無線通信を行って電子決済を実現するステップと、
前記近距離通信モジュールに含まれるセキュリティ要素を利用して前記電子決済を行うために必要なセキュリティ情報を記憶するステップと、
前記近距離通信モジュールに含まれ、前記セキュリティ要素に結合されたコイルを利用して、前記電子決済に必要なセキュリティ情報及びその関連情報を搭載する近距離無線通信信号を伝送するステップと、
制御器を利用して、予め設定されたユーザの操作に応答して、前記コイルで行われた前記近距離無線通信信号の伝送を起動するか又は終了することにより、前記電子決済をオンするか又はオフするステップと、を含む方法。
【請求項１７】
前記ハウジングは一側に開口を露出させており、前記時間表示装置は、
前記ハウジングの露出した前記開口を覆い、前記ハウジングと透明時計カバーとで収容空間を構成する透明時計カバーと、
前記収容空間内に設置される文字盤と、
前記文字盤の前記透明時計カバーに対向する表面に形成される複数の実体目盛と、
前記文字盤と前記透明時計カバーとの間に位置する少なくとも１つの実体指示器と、
前記少なくとも１つの実体指示器を駆動することにより、前記少なくとも１つの実体指示器に前記文字盤上の前記実体目盛と協働して時間を表示させるために用いられるムーブメントと、を含む請求項１６に記載の方法。
【請求項１８】
前記ハウジングは、
金属材質で製造されている閉環構造を有する時計ハウジングであって、前記閉環構造は連続的な金属固体物質で構成された密閉環を有し、前記閉環構造は第１側に第１開口を有し、前記第１側に対向する第２側に第２開口を有する、時計ハウジングと、
金属材質で製造されている底カバーと、を含み、
前記底カバーが前記閉環構造の前記第１開口を密封し、前記透明時計カバーが前記閉環構造の前記第２開口を密封し、前記透明時計カバーが非金属材質で製造されている、請求項１７に記載の方法。
【請求項１９】
前記ハウジングは一側に開口を露出させており、前記時間表示装置は、
前記ハウジングの露出した前記開口をカバーしつつも電気信号は通過させるタッチディスプレイを含み、前記タッチディスプレイは時間を表示する機能を有し、前記収容空間が前記ハウジングと前記タッチディスプレイとの間に画定されている、請求項１６に記載の方法。
【請求項２０】
さらに、前記近距離通信モジュールと外部装置との間では、単一の伝送開口を介して近距離無線通信信号が伝送される、請求項１６に記載の方法。
【請求項２１】
さらに、前記コイルと前記セキュリティ要素との間に設置された増幅器を利用して、前記コイルが伝送する前記近距離無線通信信号の強度を増幅又は調整することにより、信号伝送距離を調整する、請求項１６に記載の方法。
【請求項２２】
さらに、前記制御器を利用して、前記近距離無線通信信号の伝送のオン期間を制御し、かつ前記オン期間が終了した後、自動的に前記近距離無線通信信号の伝送をオフにする、請求項１６に記載の方法。
【発明の詳細な説明】
【技術分野】
【０００１】
本願は腕時計に関し、特に近距離通信を実現することができる腕時計に関する。
【背景技術】
【０００２】
近年、電子決済は様々な消費上の決済に既に広く応用されている。一般的なスマートフォンをツールとする決済アプリケーションは例えばＡＰＰＬＥ  ＰＡＹ（登録商標）及びＡＮＤＲＯＩＤ  ＰＡＹ（登録商標）等がある。電子決済は近距離通信（例えばＲＦＩＤ及びＮＦＣ）を応用した通信セキュリティ技術である。この技術を従来の装置と組み合わせることは、この装置自体の条件が不十分であるためにスムーズに移植することができないという制限を往々にして受ける。例えば、電子決済反応式クレジットカードはそのパスワードがスキミングされやすく、安全性に疑わしいという問題を引き起こす。一方、電子決済技術が従来の装置に移植されると、信号伝送が弱められ、リーダと通信を確立して決済動作を完了することができないという問題を引き起こす可能性がある。
【発明の概要】
【発明が解決しようとする課題】
【０００３】
腕時計を利用して安全な電子決済機能を実現することが可能な腕時計及び腕時計に適用される電子決済の安全性を向上させる方法を提供する。
【課題を解決するための手段】
【０００４】
本願の一態様において、腕時計であって、時間を表示するために用いられる時間表示装置と、収容空間を画定するハウジングと、前記収容空間内に設置され、外部装置と近距離無線通信を行うことにより電子決済を実現するために用いられる近距離通信モジュールと、を備え、前記近距離通信モジュールは、前記電子決済を行うために必要なセキュリティ情報を記憶するセキュリティ要素と、前記セキュリティ要素に結合され、前記電子決済に必要なセキュリティ情報及びその関連情報を搭載する電気信号を伝送するために用いられるコイルと、を有し、前記腕時計はさらに、前記近距離通信モジュールに結合され、予め設定されたユーザの操作に応答して前記近距離通信モジュールにより実行された電子決済をオン又はオフにするために用いられる制御器、を備える腕時計を提供する。
【０００５】
本願の実施例において、前記ハウジングは一側に開口を露出させており、前記時間表示装置は、前記ハウジングの露出した前記開口を覆い、前記ハウジングと透明時計カバーとで前記収容空間を画定する透明時計カバーと、前記収容空間内に設置される文字盤と、前記文字盤の前記透明時計カバーに対向する表面に形成される複数の実体目盛と、前記文字盤と前記透明時計カバーとの間に位置する少なくとも１つの実体指示器と、前記少なくとも１つの実体指示器を駆動することにより、前記少なくとも１つの実体指示器に前記文字盤上の前記実体目盛と協働して時間を表示させるために用いられるムーブメントと、を含む。
【０００６】
本願の実施例において、前記ハウジングは、金属材質で製造されている閉環構造を有する時計ハウジングであって、前記閉環構造は連続的な金属固体物質で構成された密閉環を有し、前記閉環構造は第１側に第１開口を有し、前記第１側に対向する第２側に第２開口を有する、時計ハウジングと、金属材質で製造されている底カバーと、を含み、前記底カバーが前記閉環構造の前記第１開口を密封し、前記透明時計カバーが前記閉環構造の前記第２開口を密封し、前記透明時計カバーが非金属材質で製造されている。
【０００７】
本願の実施例において、前記ハウジングは一側に開口を露出させており、前記時間表示装置は、前記ハウジングの露出した前記開口をカバーしつつも電気信号は通過させるタッチディスプレイを含み、前記タッチディスプレイは時間を表示する機能を有し、前記収容空間が前記ハウジングと前記タッチディスプレイとの間に画定されている。
【０００８】
本願の実施例において、前記腕時計はさらに、ユーザの操作を受信可能な位置に設置され、かつ前記ユーザの操作に対応して検出信号を生成する透明導電膜であって、複数の導電線を含み、前記導電線が互いに交絡して複数の導電ユニットを構成し、前記導電ユニットの統合された電気信号の変化が前記検出信号に対応する透明導電膜を備え、前記制御器は前記透明導電膜に結合され、前記透明導電膜からの前記検出信号を受信し、かつ前記検出信号に基づいて前記近距離通信モジュールにより実行される電子決済をオン又はオフにするために用いられる。
【０００９】
本願の実施例において、前記透明導電膜は第１領域と第２領域とに分けられ、前記第１領域と前記第２領域とは電気的に分断されており、かつ、前記第１領域はユーザの操作に応じて第１検出信号を生成し、前記制御器は前記第１検出信号に基づいて前記近距離通信モジュールにより実行された電子決済をオンにし、かつ、前記第２領域はユーザの操作に応じて第２検出信号を生成し、前記制御器は前記第２検出信号に基づいて前記近距離通信モジュールにより実行された電子決済をオフにする。
【００１０】
本願の実施例において、前記近距離通信モジュールはさらに、前記コイルと前記セキュリティ要素との間に設置され、前記コイルが伝送する電気信号の強度を増幅又は調整することにより、信号伝送距離を調整するために用いられる増幅器を含む。
【００１１】
本願の実施例において、腕時計はさらに、ユーザの操作を受信可能な位置に設置され、かつ前記ユーザの操作に対応して検出信号を生成する透明導電膜であって、複数の導電線を含み、前記導電線が互いに交絡して複数の導電ユニットを構成し、前記導電ユニットの統合された電気信号の変化が前記検出信号に対応する透明導電膜を備え、前記制御器は前記透明導電膜及び前記増幅器に結合され、前記透明導電膜からの前記検出信号を受信し、かつ前記検出信号に基づいて前記増幅器のゲインを決定し、前記増幅器は前記制御器が決定したゲインに基づいて、前記コイルが伝送する電気信号の強度を調整し、信号受信距離を調整する。
【００１２】
本願の実施例において、前記透明導電膜は第１領域と第２領域とに分けられ、前記第１領域と前記第２領域とは電気的に分断されており、かつ、前記第１領域はユーザの操作に応じて第１検出信号を生成し、前記制御器は前記第１検出信号に基づいて前記増幅器のゲインを増加させ、それにより前記コイルが伝送する電気信号の強度を強化し、かつ、前記第２領域はユーザの操作に応じて第２検出信号を生成し、前記制御器は前記第２検出信号に基づいて前記増幅器のゲインを減少させ、それにより前記コイルが伝送する電気信号の強度を低下させる。
【００１３】
本願の実施例において、前記制御器はさらに前記近距離通信モジュールのオン期間を制御し、かつ前記オン期間が終了した後、自動的に前記近距離通信モジュールをオフにする。
【００１４】
本願の実施例において、腕時計はさらに、前記時計ハウジングの、前記閉環構造が前記収容空間に向いている一側に形成される第１磁界分離層と、前記ムーブメントと前記近距離通信モジュールとの間に設置される第２磁界分離層と、を備え、前記第１磁界分離層及び前記第２磁界分離層は電気信号を吸収するために用いられる。
【００１５】
本願の実施例において、腕時計はさらに、前記ハウジングの前記底カバーの内面に形成される第３磁界分離層を備える。
【００１６】
本願の実施例において、前記近距離通信モジュールは、セレクタ及び２つ又は２つ以上の前記セキュリティ要素を含み、前記セレクタは前記セキュリティ要素と前記コイルとの間に設けられ、前記セレクタはユーザの操作に応じて、前記セキュリティ要素のうちの１つのセキュリティ要素をイネーブルとし、前記セキュリティ要素のうちの他の全てのセキュリティ要素をディスエーブルする。
【００１７】
本願の実施例において、前記セレクタは、前記セキュリティ要素のうちの１つのセキュリティ要素と前記コイルとの接続経路を確立し、前記セキュリティ要素の他の全てのセキュリティ要素と前記コイルとの接続経路を分断することを通じて、前記セキュリティ要素をイネーブルし、他のセキュリティ要素をディスエーブルする。
【００１８】
本願の実施例において、腕時計はさらに、複数の領域に分けられた透明導電膜であって、前記領域が互いに電気的に分断され、各領域が複数の導電線を含み、前記導電線が互いに交絡して複数の導電ユニットを構成する透明導電膜と、前記セレクタに結合されたタッチセンサであって、前記透明導電膜の前記領域に電気的に接続され、各領域における前記導電ユニットの統合された電気信号の変化を検出して、検出信号を出力することに用いられるタッチセンサと、を備え、前記セレクタは前記タッチセンサから伝送された検出信号を受信することにより、前記セキュリティ要素のうちの１つのセキュリティ要素をイネーブルする。
【００１９】
本願の一態様において、腕時計に適用される電子決済安全性を向上させる方法であって、前記腕時計は時間表示装置及びハウジングを含み、前記時間表示装置は時間を表示するために用いられ、前記ハウジングは収容空間を画定し、前記方法は、近距離通信モジュールを利用して外部装置と近距離無線通信を行って電子決済を実現するステップと、前記近距離通信モジュールに含まれるセキュリティ要素を利用して前記電子決済を行うために必要なセキュリティ情報を記憶するステップと、前記近距離通信モジュールに含まれ、前記セキュリティ要素に結合されたコイルを利用して、前記電子決済に必要なセキュリティ情報及びその関連情報を搭載する近距離無線通信信号を伝送するステップと、制御器を利用して、予め設定されたユーザの操作に応答して、前記コイルで行われた前記近距離無線通信信号の伝送を起動するか又は終了することにより、前記電子決済をオンするか又はオフするステップと、を含む方法を提供する。
【００２０】
本願の実施例において、前記ハウジングは一側に開口を露出させており、前記時間表示装置は、前記ハウジングの露出した前記開口を覆い、前記ハウジングと透明時計カバーとで収容空間を構成する透明時計カバーと、前記収容空間内に設置される文字盤と、前記文字盤の前記透明時計カバーに対向する表面に形成される複数の実体目盛と、前記文字盤と前記透明時計カバーとの間に位置する少なくとも１つの実体指示器と、前記少なくとも１つの実体指示器を駆動することにより、前記少なくとも１つの実体指示器に前記文字盤上の前記実体目盛と協働して時間を表示させるために用いられるムーブメントと、を含む。
【００２１】
本願の実施例において、前記ハウジングは、金属材質で製造されている閉環構造を有する時計ハウジングであって、前記閉環構造は連続的な金属固体物質で構成された密閉環を有し、前記閉環構造は第１側に第１開口を有し、前記第１側に対向する第２側に第２開口を有する、時計ハウジングと、金属材質で製造されている底カバーと、を含み、前記底カバーが前記閉環構造の前記第１開口を密封し、前記透明時計カバーが前記閉環構造の前記第２開口を密封し、前記透明時計カバーが非金属材質で製造されている。
【００２２】
本願の実施例において、前記ハウジングは一側に開口を露出させており、前記時間表示装置は、前記ハウジングの露出した前記開口をカバーしつつも電気信号は通過させるタッチディスプレイを有し、前記タッチディスプレイは時間を表示する機能を有し、前記収容空間が前記ハウジングと前記タッチディスプレイとの間に画定されている。
【００２３】
本願の実施例において、方法はさらに、近距離通信モジュールと外部装置との間では、単一の伝送開口を介して近距離無線通信信号が伝送される。
【００２４】
本願の実施例において、方法はさらに、前記コイルと前記セキュリティ要素との間に設置された増幅器を利用して、前記コイルが伝送する前記近距離無線通信信号の強度を増幅又は調整することにより、信号伝送距離を調整する。
【００２５】
本願の実施例において、方法はさらに、前記制御器を利用して、前記近距離無線通信信号の伝送のオン期間を制御し、かつ前記オン期間が終了した後、自動的に前記近距離無線通信信号の伝送をオフにする。
【００２６】
本願において、腕時計は、近距離無線通信信号を伝送する近距離通信モジュールを有し、近距離通信モジュールはセキュリティ要素及びコイルを有し、セキュリティ要素は電子決済を行うために必要なセキュリティ情報を記憶し、コイルはこの近距離無線通信信号を伝送し、腕時計のアプリケーションにおいて電子決済の機能を実現するために用いられる。近距離通信モジュールはさらに制御器を有し、制御器はユーザがこのコイルを操作して行う近距離無線通信信号の伝送を制御することにより、この電子決済機能を起動するか又は終了する。いくつかの実施例において、腕時計のハウジングは金属材質で構成され、透明時計カバー及び文字盤は非金属材質で製造されている。このように、透明時計カバーと文字盤は近距離無線通信信号の伝送開口を提供し、この信号が様々な方向に伝送される可能性を低減し、スキミングされるリスクを回避する。ある実施例において、近距離通信モジュールはさらに増幅器を有し、増幅器はコイル伝送の信号の強度を増幅するか又は調整することができるため、この伝送開口の設置により弱められた信号を補償することができる。いくつかの実施例において、近距離通信モジュールは２つ又は２つ以上のセキュリティ要素を有し、ユーザが複数の決済口座を使用して電子決済を行う需要を満たしてもよい。
【図面の簡単な説明】
【００２７】
【図１】本願の一実施例に係る腕時計の平面図を示す。
【図２】図１の腕時計の分解図を示す。
【図３】本願の一実施例に係る電子決済アーキテクチャの概略図を示す。
【図４】本願の他の一実施例に係る電子決済アーキテクチャの概略図を示す。
【図５】本願の一実施例に係る腕時計のブロック図を示す。
【図６】本願の一実施例における透明導電膜の概略図を示す。
【図７】本願の他の一実施例に係る腕時計の分解概略図を示す。
【図８】本発明の一実施例に係る腕時計の近距離通信モジュールの概略図である。
【図９】本願の実施例における近距離通信モジュールとユーザの操作を生成する構造の概略図である。
【図１０】本願の別の一実施例に係る腕時計の概略図を示す。
【図１１】本発明の実施例に係る腕時計に適用される電子決済の安全性を向上させる方法のフローチャートである。
【発明を実施するための形態】
【００２８】
本願の目的、技術的解決手段及び効果をより明らかに、明確にするために、以下に図面を参照しかつ実施例を挙げて本願についてさらに詳細に説明する。理解すべきこととして、本明細書に記載の具体的な実施例は本願を説明することだけに用いられ、本願明細書に使用される用語“実施例”は実例、例示又は例証を意味し、本願を限定するものではない。また、本明細書及び添付の特許請求の範囲に使用される冠詞「一」または「１つの」は、別途指定されるか、又は前後の文脈から単数形であることが明確に特定できなければ、一般的に「１つまたは複数」と解釈されうる。
【００２９】
本願は、腕時計及び腕時計に適用される電子決済の安全性を向上させる方法に関し、腕時計は、実体指示器（例えば時間針、分針及び秒針）を有する伝統的な腕時計又はディスプレイにより時間を表示するデジタル腕時計又はスマート腕時計（ｓｍａｒｔｗａｔｃｈ）として実現することができる。本願の腕時計は近距離通信（ｓｈｏｒｔ  ｄｉｓｔａｎｃｅ  ｃｏｍｍｕｎｉｃａｔｉｏｎ）モジュールを含み、近距離通信モジュールは近距離通信方式を通じて他の電子装置と通信して電子決済機能を実現することができる。本願の腕時計には１つの制御器が設置されており、制御器はユーザの操作に基づいて前記近距離通信モジュールにより実行される電子決済機能をオン又はオフにする。電子決済の機能はユーザにより自動的にオン又はオフされるため、セキュリティ資料が盗難されるリスクが低減される。
【００３０】
以下に実体指示器を有する腕時計を例に挙げて説明する。図１及び図２に示すとおり、図１は本発明の一実施例に係る腕時計の平面図を示し、図２は図１の腕時計の分解図を示す。
【００３１】
図１及び図２に示すように、腕時計はハウジング１２、透明時計カバー１４、文字盤１６、文字盤１６に設置された複数の実体目盛１６０、少なくとも１つの実体指示器１８及びムーブメント１１を含み、これらの部品は時間を表示するための時間表示装置を構成する。
【００３２】
ハウジング１２は一側に開口を露出させ、透明時計カバー１４はハウジング１２の露出した開口を覆い、ハウジング１２と透明時計カバー１４とは収容空間を画定する。具体的には、ハウジング１２は時計ハウジング１２１及び底カバー１２２を含み、時計ハウジング１２１は閉環構造を有し、この閉環構造は連続的な金属固体物質で構成され、この閉環構造は第１側に第１開口１２１ａを有し、第１側に対向する第２側に第２開口１２１ｂを有し、この閉環構造の第１開口１２１ａは底カバー１２２により密封され、この閉環構造の第２開口１２１ｂは透明時計カバー１４により密封され、この収容空間は時計ハウジング１２１、底カバー１２２及び透明時計カバー１４により画定される。
【００３３】
透明時計カバー１４は透明な材質（例えばプラスチックとガラス）で製造されている。透明時計カバー１４は、ハウジング１２の底カバー１２２とは反対側に設けられている。具体的には、透明時計カバー１４、時計ハウジング１２１及び底カバー１２２は上から下へ順に組み合わされて収容空間を形成する。透明時計カバー１４、時計ハウジング１２１及び底カバー１２２はこの収容空間に設置された機械及び／又は電子部品を保護するために用いられる。
【００３４】
文字盤１６、少なくとも１つの実体指示器１８及びムーブメント１１はこの収容空間内に設置される。文字盤１６上の実体目盛１６０は、文字盤１６の透明時計カバー１４に対向する面に形成されている。少なくとも１つの実体指示器１８は文字盤１６と透明時計カバー１４との間に位置する。少なくとも１つの実体指示器１８はこの実体目盛１６０の上方に位置する。具体的に、文字盤１６の表面に設けられたこの実体目盛１６０は、例えば、１時から１２時までである。少なくとも１つの実体指示器１８は例えば時間針、分針及び秒針であり、又は他の特定の用途の指針である。
【００３５】
ムーブメント１１は少なくとも１つの実体指示器１８を駆動することにより、少なくとも１つの実体指示器１８に文字盤１６上の実体目盛１６０と協働して時間情報を表示させるために用いられる。透明時計カバー１４は透明であり、ユーザは透明時計カバー１４を透過して少なくとも１つの実体指示器１８が指示する目盛位置（すなわち時間情報）を見ることができる。
【００３６】
腕時計はさらにムーブメント１１（及び近距離通信モジュール１５ならびに機能モジュール１７、後に詳述）に電力を提供するための電池１３を含む。電池１３の電力伝送を電池管理ユニット（図示せず）が担当することにより、安定して信頼できる電力を提供することができる。
【００３７】
図３は本願の一実施例に係る電子決済アーキテクチャの概略図を示す。図２と併せて図３を参照し、腕時計はさらにこの収容空間内に設置された近距離通信モジュール１５を含む。近距離通信モジュール１５は電子決済を実現するためのものであり、すなわち、本願の腕時計は電子決済の機能を有する。近距離通信モジュール１５は近距離無線通信の方式を通じてこの外部装置と通信することにより電子決済を実現することができる。近距離通信モジュール１５はＲＦＩＤ（無線周波数識別、ｒａｄｉｏ  ｆｒｅｑｕｅｎｃｙ  ｉｄｅｎｔｉｆｉｃａｔｉｏｎ）／近距離無線通信（ｎｅａｒ  ｆｉｅｌｄ  ｃｏｅｆｆｉｃｉｅｎｔ、ＮＦＣ）モジュールを含むがこれらに限定されない。近距離通信モジュール１５が適用する周波数は１．３２メガヘルツ〜１８メガヘルツ（標準は１３．５６ＭＨｚ）であり、近距離通信モジュール１５は通信距離が２０センチメートル以下であり、より明確にいうと、近距離通信モジュール１５はこの通信距離内においてこの外部装置と通信することができる。
【００３８】
例えば、腕時計は、店舗内に配置されたリーダまたはカードリーダと近距離無線通信を行い、この店舗で購入した商品に対応する代金を決済する。別の例は、腕時計は近距離通信モジュール１５を通じて携帯端末（例えばスマートフォン、タブレットコンピュータ）と通信（例えばＮＦＣ通信）することにより、取決められた金額を一方に支払うか、又は他方から当該金額を受領する。これは両者間の金銭取引に相当する。また更なるもう一例としては、電子決済機能を有する２つの腕時計の間で実現される電子取引である。
【００３９】
腕時計において、近距離通信モジュール１５はセキュリティ要素（ｓｅｃｕｒｉｔｙ  ｅｌｅｍｅｎｔ）１５１及びコイル１５２を含む。セキュリティ要素１５１はコイル１５２に接続されているか又は結合されている。
【００４０】
腕時計の近距離通信モジュール１５は電子決済を行うために用いられ、それに応じて、セキュリティ要素１５１はこの電子決済を行うために必要なセキュリティ情報を記憶する。セキュリティ要素１５１は、セキュリティ領域を表すことができ、例えば金融情報（例えば銀行口座番号、クレジットカード番号、電子マネー口座又は電子マネーカード残高等）、認証情報（例えば決済口座、取引パスワード又は他の身分認証情報等）もしくは決済アプリケーションプログラムのキーデータを安全に保持するか又は記憶することができる。セキュリティ要素１５１は口座を記録することができ、仮想口座、実際の口座、後払い決済用カード又はクレジットカード、携帯電話決済口座又はプリペイドカード等にマッピングする。
【００４１】
この電子決済に必要なセキュリティ情報にはアカウント、取引パスワード、取引認証情報又はユーザに対応した唯一の識別番号等を含むことができる。このセキュリティ情報との関連情報には、この電子部品の背景にあるハンドシェイク情報（例えば伝送プロトコルのハンドシェイク）、又はユーザに関連する情報（例えばユーザの身分情報）、残高情報又は取引履歴などを含むことができる。セキュリティ要素１５１は上記セキュリティ情報及びその関連情報を暗号化及び復号化することもできる。このため、ユーザが現金、クレジットカード又はポイントカード等を携帯する必要がない場合において、腕時計を通じて電子決済を完了させることができる。
【００４２】
コイル１５２はこの電子決済に必要なセキュリティ情報及びその関連情報を搭載する電気信号を伝送するために用いられる。具体的には、外部装置がセキュリティ要素１５１に信号を送信しようとすると、コイル１５２は外部の電気信号によって経時的に変化する電流を生成し、それによりセキュリティ要素１５１はこの外部装置から送信された信号を受信することができる。セキュリティ要素１５１がこの外部装置に信号を送信しようとすると、コイル１５２に経時的に変化する電流が印加され、電気信号が生成される。すなわち、腕時計における近距離通信モジュール１５は、電気信号（近距離無線通信信号）を伝送することを通じて、（カードリーダのような）外部装置と通信する。ここで、上記の伝送（ｔｒａｎｓｍｉｔｔｉｎｇ）とは、単純な送信（ｓｅｎｄｉｎｇ）や単純な受信（ｒｅｃｅｉｖｉｎｇ）であってもよいし、送受信（ｔｒａｎｓｃｅｉｖｉｎｇ）（すなわち送信および受信）の動作であってもよい。
【００４３】
図３に示すように、腕時計はさらに制御器１７０を含む。制御器１７０は、腕時計の機能モジュール１７に設けられていてもよい。制御器１７０は近距離通信モジュール１５に結合され、予め設定されたユーザの操作に応答して、近距離通信モジュール１５により実行される電子決済をオン又はオフにするために用いられる。即ち、ユーザは腕時計に対して操作を実行することにより、近距離通信モジュール１５をオン又はオフし、それにより電子決済機能を起動するか又は終了させることができる。一実施例において、制御器１７０は近距離通信モジュール１５のオン期間を制御し、かつこのオン期間が終了した後、近距離通信モジュール１５を自動的にオフにする。好ましくは、近距離通信モジュール１５が起動された（即ち電子決済機能が起動された）後、所定時間（例えば１０秒）経過すると、近距離通信モジュール１５を自動的にオフにし（即ち電子決済機能を終了し）、このようにしてユーザが電子決済機能を使用しない時にも依然として信号を伝送してスキミングされうるリスクを回避することができ、またこのようにして不要な電力消費を節約する。
【００４４】
本願では、ユーザが電子決済機能を使用していないときには、近距離通信信号の伝送がオフされることにより、スキミングされるリスクを低減する。一般的に、電子決済を実行するために必要な時間（即ち腕時計が出力する電気信号と外部リーダの作用時間）は約１０秒しかなく、この時間以外に腕時計は電子決済に関連する電気信号を出力しないため、スキミングされるリスクを大幅に低下させる。
【００４５】
図３に示すとおり、一例では、ユーザは店舗で商品を購入し、腕時計を使用して購入された商品に電子決済を行う。リーダ３１は店舗に配置され、決済サーバ３２は金融機関の取引処理センターに配置され、店舗内のリーダ３１と金融機関の決済サーバ３２はインターネット（Ｉｎｔｅｒｎｅｔ）やローカルエリアネットワークや他の専用回線を通じて接続されている。電子決済を行う際、腕時計の近距離通信モジュール１５はリーダ３１と近距離無線通信を行い、様々な情報伝達のハンドシェイクを行う。リーダ３１は近距離通信モジュール１５のセキュリティ要素１５１が記憶したセキュリティ情報を読み取り、このセキュリティ情報を例えば決済金額と共に決済サーバ３２に送信し、決済サーバ３２は取引が合法であるか否かを確認し、取引結果及び取引成功情報をリーダ３１に返信する。注意すべきことは、腕時計の近距離通信モジュール１５自体は直接的に決済サーバ３２と通信しないことである。
【００４６】
本願において、腕時計は近距離通信モジュール１５を有して近距離無線通信信号を伝送し、近距離通信モジュール１５はセキュリティ要素１５１及びコイル１５２を有し、セキュリティ要素１５１はこの電子決済を行うために必要な安全情報を記憶し、コイル１５２はこの近距離無線通信信号を伝送し、腕時計のアプリケーションにおいて電子決済の機能を実現するために用いられる。また、腕時計は制御器１７０を有し、制御器１７０はユーザの操作に応じて近距離通信信号の伝送をオン又はオフするが、これにより電子決済の機能をユーザが手動でオン又はオフすることができ、セキュリティ資料が盗難されるリスクを低減させる。
【００４７】
図４は本願の他の実施例に係る電子決済アーキテクチャの概略図を示す。本願の一実施例において、近距離通信モジュール１５はさらに増幅器１５３を含む。増幅器１５３は第１コイル１５２とセキュリティ要素１５１との間に設置され、コイル１５２が伝送する電気信号の強度を増幅するか又は調整することにより、信号伝送距離を調整するために用いられる。具体的には、セキュリティ要素１５１がコイル１５２を通じて電気信号を送信しようとする場合、セキュリティ要素１５１がコイル１５２に送るべき電流は、増幅器１５３を経てまず増幅される。セキュリティ要素１５１がコイル１５２を通じて電気信号を受信しようとする時、コイル１５２が生成した電流は増幅器１５３を経てまず増幅された後、改めてセキュリティ要素１５１に送られる。これにより、コイル１５２から伝送される電気信号の強度が増幅器１５３経て増幅される。
【００４８】
増幅器１５３のゲインは、機能モジュール１７の制御器１７０により制御されてもよいし、ユーザの操作を通じて、制御器１７０に増幅器１５３のゲインを指示してもよい。具体的には、制御器１７０は、ユーザの操作を受信した後に、近距離通信モジュール１５内の増幅器１５３に調整信号を出力し、増幅器１５３に電流の大きさを調整させ、これによりコイル１５２が出力する、或いは、受信する電気信号の大きさを調整する。別の例において、このユーザの操作を受信した後、制御器１７０は増幅器１５３から出力された電流の大きさをゼロか、もしくは予め設定された大きさに調整するか、または所定の順序で電流の大きさを切り替えることができる。そのため、ユーザの操作を通じて、ユーザは腕時計１０における近距離通信モジュール１５のコイル１５２から出力される電気信号を利便性良く制御することができ、それによりこの電気信号をオン、オフ又は調整することができ、よって近距離通信モジュール１５の不要な電力消費を減少させることができる。
【００４９】
腕時計の近距離通信モジュール１５から出力された電気信号が小さすぎてリーダ３１が感知できず、電子決済を完了できない場合、増幅器１５３のゲインを向上させることを通じて、様々なタイプのリーダ３１に適応できるという目的を達成することができる。逆に、腕時計の近距離通信モジュール１５から送信された電気信号が大きすぎてスキミングされるリスクがある場合、増幅器１５３のゲインを低下させることを通じて、安全性が確保された状況において電子決済を行うことができる。
【００５０】
腕時計の近距離通信モジュール１５から出力された電気信号は腕時計の内部部品（例えば電気駆動モータ）により干渉して減衰する可能性がある。腕時計のハウジング１２が金属ハウジングである場合、近距離通信モジュール１５が出力した電気信号は金属ハウジングにより遮蔽されるか又は弱められる可能性がある。本願では、近距離通信モジュール１５に増幅器１５３を設置するため、増幅器１５３のゲインの調整により近距離通信モジュール１５出力する電気信号の大きさを変化させることができ、それにより腕時計からリーダ３１までの最も便利な使用距離に到達し、近距離通信信号が遮蔽されるか又は干渉するという問題を克服する。
【００５１】
図１、図２及び図４に併せて示すとおり、本願の一実施例において、ハウジング１２の時計ハウジング１２１及び底カバー１２２は金属材質で製造されており、透明時計カバー１４は非金属材質で製造されている。時計ハウジング１２１の閉環構造は連続的な金属固体物質からなる密閉環を有し、底カバー１２２はこの密閉環の第１開口（例えば下の開口）１２１ａを密封し、透明時計カバー１４はこの密閉環の第２開口（例えば上の開口）１２１ｂを密封する。このような腕時計は時計ハウジング１２１の閉環構造の第２開口（非金属材質で製造されている透明時計カバー１４に対応）により画定された通信開口を有し、即ち腕時計内コイル１５２は主にこの通信開口を通じて電気信号の伝送又は感知を行う。すなわち、近距離通信モジュール１５と外部装置との間では、単一の伝送開口を通じて近距離無線通信信号が伝送される。信号は金属材質で製造されている時計ハウジング１２１及び底カバー１２２により遮蔽されるか又は減衰される。近距離無線通信信号はある程度の指向性を有するため、このような腕時計は通信時にスキミングされるリスクを回避することができる。このような構成は通信信号がある程度弱くなるが、近距離通信モジュール１５に増幅器１５３（図４に示す）を設置することにより、通信信号強度が不足するという問題を克服することができる。増幅器１５３の設置によって、近距離通信信号が腕時計の内部部品（例えば電気駆動モータ）に干渉して減衰するという問題を更に一歩進んで克服することができる。
【００５２】
即ち、スキミングされるリスク回避を達成するために、本願は信号伝送開口（非金属材質で製造されている透明時計カバー１４に対応）として金属ハウジング１２が露出させている開口を採用し、同時に信号が過剰に遮蔽されるか又は弱められることを回避するため、近距離通信モジュール１５に増幅器１５３を設置し、コイル１５２から伝送された電気信号を増幅するか又はユーザが最適に調整できるようにしているため、よって腕時計の電子決済機能の安全性が向上する。
【００５３】
一実施例において、近距離通信モジュール１５のオン（もしくはオフ）の制御、又は近距離通信モジュール１５の増幅器１５３のゲインの制御をするユーザの操作は、腕時計に設置されたボタン又はダイヤル（図示せず）を通じて達成することができる。このボタン又はダイヤルは機能モジュール１７の制御器１７０に結合され、制御器はこのボタン又はダイヤルの操作に基づいて近距離通信モジュール１５を制御する。
【００５４】
一実施例において、近距離通信モジュール１５のオン（もしくはオフ）の制御、又は近距離通信モジュール１５の増幅器１５３のゲインの制御をするユーザの操作は、腕時計のこの収容空間に設置されたモーションセンサ（図示せず）（例えば加速度センサ、重力センサ、角速度センサ及びジャイロスコープなど）を通じて達成することができる。このモーションセンサは機能モジュール１７の制御器１７０に結合され、制御器はこのモーションセンサの操作に基づいて近距離通信モジュール１５を制御する。
【００５５】
一実施例において、近距離通信モジュール１５のオン（もしくはオフ）の制御、又は近距離通信モジュール１５の増幅器１５３のゲインの制御をするユーザの操作は、腕時計の透明時計カバー１４上に設置された透明導電膜を通じて達成することができる。図５は本願の一実施例に係る腕時計のブロック図を示す。図６は本願の実施例における透明導電膜の概略図を示す。図５及び図６に併せて示すとおり、腕時計は透明導電膜１９を含み、透明導電膜１９は透明時計カバー１４の表面（例えば内面）に設置される。透明導電膜１９は、機能モジュール１７の制御器１７０に接続されている。透明導電膜１９はユーザの操作を受信し、これに対応する検出信号を生成するために用いられる。制御器１７０はこの検出信号を受信し、これにより増幅器１５３のゲインを決定する。増幅器１５３は、制御器１７０が決定したゲインに応じて、コイル１５２から伝送される電気信号の強度を調整（増加或いは減少）する。
【００５６】
図６に示すように、透明導電膜１９は網目状の導電膜であり、実質的には極細の金属線で形成された網目状であるがゆえに、透明時計カバー１４上に配置されても、ユーザは少なくとも１つの実体指示器１８が指し示す位置を見ることができる。透明導電膜１９は第１領域５１と第２領域５２とに分けられ、第１領域５１と第２領域５２とは電気的に分断されている。例えば、第１領域５１は表カバー１４の上半分の部分に対応し、第２領域５２は表カバー１４の下半分の部分に対応する。透明導電膜１９は、第１領域５１及び第２領域５２のそれぞれに複数の導電線５０１を含み、これらの導電線５０１が互いに交絡して複数の導電ユニット５０２を構成している。各領域における全導電ユニット５０２の統合された電気信号（例えば電圧信号又は電流信号）の変化は、その領域の上で接触又は接近する動作を行うことにより生成され、この統合された電気信号の変化はこの検出信号を現わすことができる。第１領域５１および第２領域５２の透明導電膜は、それぞれ制御器１７０に接続されており、制御器１７０は、第１領域５１または第２領域５２のいずれから検出信号が生成されたかを判別することができる。ここで、透明導電膜１９における全導電ユニット５０２の統合された電気信号には、これら導電ユニット５０２の全部または任意の有効な部分が寄与している。その技術の属する領域の通常の知識を有する者であれば理解できるが、上記透明導電膜１９を利用してユーザの操作を感知する技術は、従来のタッチパネルにおけるタッチ操作を感知する技術、および従来の表示パネルに画素電極を配置して映像を表示する技術とは異なる。
【００５７】
例えば、ユーザは透明時計カバー１４の上半分の部分（即ち第１領域５１）を長押しすることにより、近距離通信モジュール１５を起動して近距離無線通信を開始することができ（即ち電子決済を許可する状態）、ユーザは透明時計カバー１４の下半分の部分（即ち第２領域５２）を短押しすることにより、近距離通信モジュール１５をオフにすることができ、即ち近距離無線通信をオフにする（即ち電子決済を終了する状態）ことができる。近距離無線通信機能がオンになる時、ユーザは透明時計カバー１４の上半分の部分を軽く押すことにより、増幅器１５３のゲインを増加させることができ、それによりコイル１５２が伝送する電気信号の強度を強化することができる。また、ユーザは透明時計カバー１４の下半分の部分を軽く押すことにより、増幅器１５３のゲインを低下させることができ、それによりコイル１５２が伝送する電気信号の強度を低下させることができる。
【００５８】
金属又は導電性ハウジング１２（時計ハウジング１２１及び底カバー１２２を含むことができる）は腕時計における近距離通信モジュール１５に影響を与え、近距離通信モジュール１５とリーダとの間で伝送される電気信号強度を弱める。このため、本願は解決手段を提供する。本願の他の実施例に係る腕時計の分解概略図を示す図７を参照する。図１及び図２に示す実施例と異なり、本実施例において、金属ハウジング１２の近距離通信モジュール１５への影響を低減するために、本実施例の腕時計には、第１磁界分離層６１、第２磁界分離層６２及び第３磁界分離層６３が設置されている。これらの磁界分離層６１、６２及び６３は電気信号を吸収し、電気信号の干渉を抑制する効果を達成する。
【００５９】
具体的には、第１磁界分離層６１は対応する金属ハウジング１２の、閉環構造が収容空間に向いている一側に設置される。第２の磁界分離層６２は、近距離通信モジュール１５の下方に設けられている。好ましくは、第２磁界隔離層６２は近距離通信モジュール１５の下方に貼り付けられて、ムーブメント１１と近距離通信モジュール１５との間に設置される。第３磁界分離層６３は、ハウジング１２の底カバー１２２に形成されており、特に、底カバー１２２の内面に形成されている。
【００６０】
本実施例は腕時計において、近距離通信モジュール１５がこの外部装置（例えばリーダ又はカードリーダ）と通信する時、この外部装置の電気信号を近距離通信モジュール１５に出力するが、第１磁界分離層６１および第２磁界分離層６２は電気信号を吸収し、電気信号がハウジング１２及びこの収容空間内の他の金属部品の影響を受け、これを近距離通信モジュール１５が受信できなくなることを回避することができる。また、第２磁界分離層６２は近距離通信モジュール１５が機能モジュール１７及びその下方の他の金属部品に影響されることを回避し、電気信号の干渉を抑制する効果を達成することができる。説明すべきことは、第３磁界分離層６３は選択可能な部品であり、第３磁界分離層６３はさらに第１磁界分離層６１及び第２磁界分離層６２に吸収されない電気信号を吸収することができる。説明すべきことは、第１磁界分離層６１、第２磁界分離層６２及び第３磁界分離層６３のうちの１つ又は両方を選択して電気信号を吸収する目的を実現することができ、任意の数の磁界分離層を採用することも可能である。
【００６１】
従来技術においては、近距離通信モジュール１５を金属又は導電性ハウジング１２の通信装置には設置できないが、本実施例の腕時計においては、電気信号を吸収できる少なくとも一つの第１分離層６１、第２分離層６２及び第３分離層６３を設置することにより、電気信号が金属又は導電性ハウジング１２の影響を受けて近距離通信モジュール１５で受信できなくなることを回避でき、近距離通信モジュール１５が金属又は導電性ハウジング１２に設置されている通信装置であっても依然として動作させることができる。
【００６２】
いくつかのアプリケーションにおいて、ユーザは複数の決済口座（例えば複数のクレジットカード、複数の電子ウォレット又は複数の電子マネー口座）を使用する需要がある可能性がある。このようなユーザの需要に応じて、本願の腕時計における近距離通信モジュールは２つ又は２つ以上のセキュリティ要素を設置することができ、ユーザが毎回使用する度にそのうちの１つのセキュリティ要素をイネーブルして電子決済を行うことができる。
【００６３】
以下は近距離通信モジュールが２つのセキュリティ要素を有する場合を例として説明するが、理解できることは、本願は近距離通信モジュールに２つ以上のセキュリティ要素を設置してもよく、その場合にも類似した操作原理が適用される。
【００６４】
図８は本願の一実施例に係る腕時計の近距離通信モジュール１５’の概略図を示す。近距離通信モジュール１５’は第１セキュリティ要素１５１１及び第２セキュリティ要素１５１２を有するセキュリティ要素群１５０、コイル１５２及びセレクタ７０を含む。コイル１５２とセキュリティ要素１５１１及び１５１２に関する詳細は以上の説明を参照されたい。セレクタ７０は、腕時計のハウジング１２（図１参照）内に設置されてもよい。セキュリティ要素群１５０は、コイル１５２に接続されている。セレクタ７０は、セキュリティ要素群１５０とコイル１５２との間に設けられ、好ましくは、セレクタ７０は、セキュリティ要素群１５０とコイル１５２との間に接続される。
【００６５】
セレクタ７０はユーザの操作に応じて、第１セキュリティ要素１５１１及び第２セキュリティ要素１５１２のうちの１つをイネーブル（ｅｎａｂｌｅ）し、これにコイル１５２を通じて電気信号又は近距離通信信号を伝送させる、及び／又は受信させる。具体的には、セレクタ７０はセキュリティ要素群１５０のうちの１つのセキュリティ要素をイネーブルし、かつセキュリティ要素群１５０のうちの他のセキュリティ要素をディスエーブル（ｄｉｓａｂｌｅ）することができる。すなわち、ユーザが腕時計に設定された電子決済口座番号又はカード（そのうちのいずれかのセキュリティ要素に対応）を使用する場合、ユーザの操作を通じて、セレクタ７０にそのうちの１つのセキュリティ要素をイネーブルさせ、他のセキュリティ要素をディスエーブル状態にさせることができる。このように、ユーザはその需要に応じて、電子決済しようとする口座番号又はカードを選択することができる。
【００６６】
具体的には、セレクタ７０はそのうちの１つのセキュリティ要素とコイル１５２の接続経路を確立し、他のセキュリティ要素とコイル１５２との接続経路を分断することを通じて、このセキュリティ要素をイネーブルし、他のセキュリティ要素をディスエーブルすることができる。一方、セレクタ７０は、電源とセキュリティ要素とを接続してセキュリティ要素をイネーブルすることができ、電源とセキュリティ要素との電源を遮断することによりセキュリティ要素をディスエーブルすることができる。
【００６７】
一実施例において、上述の１つのセキュリティ要素をイネーブルするユーザの操作は、腕時計に設置されたボタン又はダイヤル（図示せず）を通じて達成することができる。このボタン又はダイヤルはセレクタ７０に結合されており、セレクタ７０はこのボタン又はダイヤルの操作に応じてそのうちの１つのセキュリティ要素を選択して電子決済を行う。
【００６８】
一実施例において、上述の１つのセキュリティ要素をイネーブルするユーザの操作は腕時計の収容空間に設置されたモーションセンサ（図示せず）（例えば加速度センサ、重力センサ、角速度センサ及びジャイロスコープなど）を通じて達成することができる。このモーションセンサはセレクタ７０に結合され、セレクタ７０はこのモーションセンサの操作に応じて、そのうちの１つのセキュリティ要素を選択して電子決済を行う。
【００６９】
図６及び図９に併せて示すとおり、図９は本願の実施例における近距離通信モジュールとユーザの操作を生成する構造の概略図を示す。図９に示すように、腕時計はさらに透明導電膜１９及びタッチセンサ８０を含み、透明導電膜１９はタッチセンサ８０に電気的に接続され、タッチセンサ８０はセレクタ７０に結合されている。透明導電膜１９は、例えば、透明時計カバー１４（図２参照）の内面に設けられている。タッチセンサ５２は、ハウジング１２と透明時計カバー１４とが形成する収容空間に設けられている。透明導電膜１９に関する詳細については、図５及び上記説明を参照することができる。
【００７０】
透明導電膜１９は、互いに電気的に分断された複数の領域（すなわち、第１領域５１と第２領域５２と）に分けられている。例えば、第１領域５１は第１セキュリティ要素１５１１のイネーブルに対応し、第２領域５２は第２セキュリティ要素１５１２のイネーブルに対応する。例えば、ユーザが透明導電膜１９の第１領域５１にタッチすると、タッチセンサ８０は検出信号を出力して第１領域５１がタッチされたことを指摘し、それに応じてセレクタ７０はタッチセンサ８０からの検出信号を受信して第１セキュリティ要素１５１１をイネーブルし、第２セキュリティ要素１５１２をディスエーブルする。ユーザが透明導電膜１９の第２領域５２にタッチすると、タッチセンサ８０は検出信号を出力して第２領域５２がタッチされることを指摘し、それに応じてセレクタ７０はタッチセンサ８０からの検出信号を受信して第２セキュリティ要素１５１２をイネーブルし、第１セキュリティ要素１５１１をディスエーブルする。
【００７１】
以上の各実施例に示した腕時計は、いずれもタッチ制御機能を有し且つ非金属で製造されているか、又は電気信号を通過させることができるディスプレイにより、実体目盛、文字盤、指針及びムーブメントを代替することができ、これにより時間情報又は他の情報を表示することができる。
【００７２】
図１０に示すように、本願の腕時計は実体指示器（例えば時間針及び分針）を有する腕時計に限定されず、ディスプレイ又はタッチディスプレイを有する腕時計（例えばスマートウォッチ）であってもよい。図１０に示すように、腕時計は時間を表示する機能を有するタッチディスプレイ７１を有し、タッチディスプレイ７１はまた他の情報も表示することができる。腕時計にはセキュリティ要素１５１及び第１コイル１５２を含む近距離通信モジュール１５が配置され、必要に応じて増幅器１５３をさらに配置して第１コイル１５２から伝送された電気信号を増幅することができる。いくつかの実施例において、タッチディスプレイ７１は腕時計のハウジングの露出した開口をカバーしつつも電気信号は通過させ、腕時計のハウジング及びタッチディスプレイ７１は収容空間を画定して、近距離通信モジュール１５、制御器１７０及び他の電子部品を収容する。腕時計のハウジングは金属材質で製造されていてもよく、非金属材質で製造されていてもよく、タッチディスプレイ７１は基本的にはコイル１５２から伝送された電気信号に過度に干渉したり、遮蔽したりすることはない。
【００７３】
図１１は本発明の実施例に係る腕時計に適用される電子決済の安全性を向上させる方法のフローチャートである。腕時計は時間表示装置及びハウジングを含み、この時間表示装置は時間を表示するために用いられ、このハウジングは収容空間を画定する。上記説明と図１１を併せて参照し、この方法は以下のステップを含む。
【００７４】
ステップＳ１０：近距離通信モジュール１５を利用して外部装置と近距離無線通信を行って電子決済を実現する。
【００７５】
ステップＳ１１：近距離通信モジュール１５に含まれるセキュリティ要素１５１を利用してこの電子決済に必要なセキュリティ情報を記憶する。
【００７６】
ステップＳ１２：近距離通信モジュール１５に含まれ、セキュリティ要素１５１に結合されたコイル１５２を利用して、この電子決済に必要なセキュリティ情報及びその関連情報を搭載する近距離無線通信信号を伝送する。
【００７７】
ステップＳ１３：制御器１７０を利用して、予め設定されたユーザの操作に応答して、このコイルで行われたこの近距離無線通信信号の伝送を起動するか又は終了することにより、この電子決済を起動するか又は終了する。
【００７８】
この方法はさらに以下のステップを含む：近距離通信モジュール１５と外部装置との間では、単一の伝送開口を介して近距離無線通信信号が伝送される。
【００７９】
この方法はさらに以下のステップを含む：コイル１５２とセキュリティ要素１５１との間に設けられた増幅器１５３を利用して、コイル１５２が伝送するこの距離無線通信信号の強度を増幅するか又は調整することにより、信号伝送距離を調整する。
【００８０】
この方法はさらに以下のステップを含む：制御器１７０を利用して、この近距離無線通信信号の伝送のオン期間を制御し、かつこのオン期間が終了した後、自動的にこの近距離無線通信信号の伝送をオフにする。
【００８１】
本願の腕時計に適用される電子決済の安全性を向上させる方法の他の詳細については、上記腕時計の説明を参照することができ、ここでは説明を省略する。
【００８２】
本発明の図１１に示す腕時計に適用できる電子決済の安全性を向上させる方法は、実体指示器を有する腕時計（図１及び図２に示す）に応用することができ、腕時計のハウジング（時計ハウジング及び底カバーを含む）は金属材質で製造されていてもよく、またディスプレイ又はタッチディスプレイを有する腕時計（図１０に示すとおりである）、例えばスマート腕時計にも応用することができる。また図４に示す増幅器１５３を利用して近距離通信時に伝送される電気信号を増幅してもよい。他に、図８に示すセレクタ７０を利用して複数のセキュリティチップのうちの１つのセキュリティチップを選択してイネーブルし、他のセキュリティチップをディスエーブルしてもよい。
【００８３】
本願における好ましい実施例を以上に示したが、これらは本願を限定するためものではなく、本願の属する技術分野における通常の知識を有する者が本願の精神及び範囲から逸脱することなく、様々な変更や洗練させることができるため、本願の保護範囲は添付の特許請求の範囲に定義されるものを基準とする。
【符号の説明】
【００８４】
１１  ムーブメント
１２  ハウジング
１３  電池
１４  透明時計カバー
１５  近距離通信モジュール
１５´  近距離通信モジュール
１６  文字盤
１７  機能モジュール
１８  少なくとも１つの実体指示器
１９  透明導電膜
３１  リーダ
３２  決済サーバ
５１  第１領域
５２  第２領域
６１  第１磁界分離層
６２  第２磁界分離層
６３  第３磁界分離層
７０  セレクタ
７１  タッチディスプレイ
８０  タッチセンサ
１２１  時計ハウジング
１２１ａ  第１開口
１２１ｂ  第２開口
１２２  底カバー
１５０  セキュリティ要素群
１５１  セキュリティ要素
１５２  コイル
１５３  増幅器
１６０  実体目盛
１７０  制御器
５０１  導電線
５０２  導電ユニット
１５１１  第１セキュリティ要素
１５１２  第２セキュリティ要素
Ｓ１０〜Ｓ１３  ステップ
【図１】
2020085880.tif 000003
【図２】
2020085880.tif 000004
【図３】
2020085880.tif 000005
【図４】
2020085880.tif 000006
【図５】
2020085880.tif 000007
【図６】
2020085880.tif 000008
【図７】
2020085880.tif 000009
【図８】
2020085880.tif 000010
【図９】
2020085880.tif 000011
【図１０】
2020085880.tif 000012
【図１１】
2020085880.tif 000013
【外国語明細書】
2020085880000001.pdf